(57)【特許請求の範囲】
【請求項１】
手芸用ニードルパンチャーと、対象物に対してニードルパンチを行うのに用いられる手芸用補助具と、を備えた手芸用ニードルパンチセットであって、
上記手芸用補助具は、所定の横断面形状を有する隔壁によって筒状に形成された複数の型部を備えており、
上記手芸用ニードルパンチャーは、複数のニードルと、当該ニードルをその先端側が外部に突出するように一定姿勢で保持するグリップ用部材と、全体として筒状を呈するとともに上記型部の上端に当接しうる当接部を先端に有し、上記ニードルの外側に遊嵌された状態で上記グリップ用部材に対して着脱可能に取り付けられるアタッチメント部材とを備えていることを特徴とする、手芸用ニードルパンチセット。
【請求項２】
上記アタッチメント部材は、上記ニードルの先端側に向かうほど拡開させられている、請求項１に記載の手芸用ニードルパンチセット。
【請求項３】
上記複数の型部は、透明または半透明である、請求項１に記載の手芸用ニードルパンチセット。
【請求項４】
複数のニードルと、
当該ニードルをその先端側が外部に突出するように一定姿勢で保持するグリップ用部材と、
全体として筒状を呈するとともに先端に当接部を有し、上記ニードルの外側に遊嵌された状態で上記グリップ用部材に対して着脱可能に取り付けられるアタッチメント部材と、
を備えることを特徴とする、手芸用ニードルパンチャー。
【請求項５】
上記アタッチメント部材は、上記ニードルの先端側に向かうほど拡開させられている、請求項４に記載の手芸用ニードルパンチャー。
【請求項６】
上記ニードルは、上記グリップ用部材に着脱自在である、請求項４または５に記載の手芸用ニードルパンチャー。
【請求項７】
対象物に対してニードルパンチを行うのに用いられる手芸用補助具であって、
所定の横断面形状を有する隔壁によって筒状に形成された複数の型部を備えることを特徴とする、手芸用補助具。
【請求項８】
上記複数の型部は、透明または半透明である、請求項７に記載の手芸用補助具。
【発明の詳細な説明】
【技術分野】
【０００１】
本発明は、アップリケなどの手芸の分野で好適に用いられる手芸用ニードルパンチセット、手芸用ニードルパンチャー、および手芸用補助具に関する。
【背景技術】
【０００２】
ニードルパンチは、一般的には、不織布の製造に用いられる手法であり、複数のウェブの繊維どうしを重ね合わせた状態において、これらにニードルを突き刺すことによってそれらの繊維どうしを絡ませ、ウェブを結合させる手法である。ただし、このようなニードルパンチは、不織布の製造のみならず、手芸分野においても利用されている。手芸用のニードルパンチを行なうための用具としては、複数本のニードルをグリップ用部材に取り付けた構造のものが提案されている（たとえば特許文献１参照）。
【０００３】
手芸分野においては、たとえば、適当な１枚の布地の上にモチーフとしての所望形状のフェルト片を重ね合わせてから、これらにニードルを複数回にわたって突き刺すことが行なわれる。このようにすると、上記フェルト片の繊維が上記布地の繊維に絡まり、このことによってアップリケを施すことができる。また、下記の特許文献１においては、ニードルパンチを行なう際にフェルト片を支持する支持部材についても提案されている。上記支持部材は、多数の繊維状部材が起立したブラシ構造を有し、これら繊維状部材の先端部によってフェルト片を支持するための支持面が形成されている。このような構成によれば、ニードルを支持部材に対して比較的弱い力で突き刺すことが可能であり、ニードルが繊維状部材との接触によって損傷を受けることもないので、ニードルパンチの作業性や耐久性を向上することができる。
【０００４】
上記従来技術において、ニードルパンチに使用されるフェルト片としては、一般的に、既成のシート状のフェルトを切断したものが用いられる。しかしながら、フェルト片を多数使用する場合には、フェルトを切断する作業が煩わしいものとなっていた。加えて、シート状のフェルトからフェルト片を切り取った後における残余部分については、有効な用途がないため不要物として廃棄せざるを得ず、無駄となっていた。
【０００５】
【特許文献１】特開２００４−３０８０４６号公報
【発明の開示】
【発明が解決しようとする課題】
【０００６】
本発明は、このような事情のもとで考え出されたものであって、手芸分野におけるニードルパンチによって布地に対してアップリケを施すのに際し、ニードルパンチを含めた一連の作業を効率よく行うことが可能な手芸用ニードルパンチセット、および、そのような手芸用ニードルパンチセットの一部を構成するのに適した手芸用ニードルパンチャー、手芸用補助具を提供することを課題とする。
【課題を解決するための手段】
【０００７】
上記の課題を解決するため、本発明では、次の技術的手段を講じている。
【０００８】
本発明の第１の側面によって提供される手芸用ニードルパンチセットは、手芸用ニードルパンチャーと、対象物に対してニードルパンチを行うのに用いられる手芸用補助具と、を備えた手芸用ニードルパンチセットであって、上記手芸用補助具は、所定の横断面形状を有する隔壁によって筒状に形成された複数の型部を備えており、上記手芸用ニードルパンチャーは、複数のニードルと、当該ニードルをその先端側が外部に突出するように一定姿勢で保持するグリップ用部材と、全体として筒状を呈するとともに上記型部の上端に当接しうる当接部を先端に有し、上記ニードルの外側に遊嵌された状態で上記グリップ用部材に対して着脱可能に取り付けられるアタッチメント部材とを備えていることを特徴としている。
【０００９】
このような構成によれば、手芸用ニードルパンチャーと手芸用補助具とを組み合わせて用いることにより、切り出したフェルト片を使用することなく、布地に対して所定形状のアップリケを施すことができる。具体的には、たとえばフェルトの原毛であるウール繊維を手芸用補助具の型部の内側に充填し、当該繊維に対してニードルパンチの作業を行うことによって、布地においては、型部の横断面形状に対応する領域にフェルト化したアップリケが施されることになる。このようなことから、本発明に係る手芸用ニードルパンチセットによれば、効率よく布地にアップリケを施すことができる。また、上記手芸用補助具は、複数の型部を有することから、型部に繊維を充填して当該繊維に対してニードルパンチを行う一連の作業を効率よく行うことができる。
【００１０】
本発明の第１の側面における好ましい実施の形態においては、上記手芸用補助具は、上記型部の外側に位置し、かつ上記型部との間に中空部を介して設けられた外枠部をさらに備えている。
【００１１】
本発明の第１の側面における好ましい実施の形態においては、上記アタッチメント部材は、上記ニードルの先端側に向かうほど拡開させられている。
【００１２】
本発明の第１の側面における好ましい実施の形態においては、上記複数の型部は、透明または半透明である。
【００１３】
本発明の第２の側面によって提供される手芸用ニードルパンチャーは、複数のニードルと、当該ニードルをその先端側が外部に突出するように一定姿勢で保持するグリップ用部材と、全体として筒状を呈し、上記ニードルの外側に遊嵌された状態で上記グリップ用部材に対して着脱可能に取り付けられるアタッチメント部材と、を備えることを特徴としている。このような構成の手芸用ニードルパンチャーは、本発明の第１の側面の手芸用ニードルパンチセットにおける手芸用ニードルパンチャーの機能をともに担うことができる。
【００１４】
本発明の第２の側面における好ましい実施の形態においては、上記アタッチメント部材は、上記ニードルの先端側に向かうほど拡開させられている。
【００１５】
本発明の第２の側面における好ましい実施の形態においては、上記アタッチメント部材としては、上記クリップ用部材への取り付け時における上記ニードルの軸長方向の寸法が異なる複数種類のものを備える。
【００１６】
本発明の第２の側面における好ましい実施の形態においては、上記ニードルは、上記グリップ用部材に着脱自在である。
【００１７】
本発明の第３の側面によって提供される手芸用補助具は、対象物に対してニードルパンチを行うのに用いられる手芸用補助具であって、所定の横断面形状を有する隔壁によって筒状に形成された複数の型部を備えることを特徴としている。このような構成の手芸用補助具は、本発明の第１の側面の手芸用ニードルパンチセットにおける手芸用補助具の機能をともに担うことができる。
【００１８】
本発明の第３の側面における好ましい実施の形態においては、上記型部の外側に位置し、かつ上記型部との間に中空部を介して設けられた外枠部をさらに備えている。
【００１９】
本発明の第３の側面における好ましい実施の形態においては、上記複数の型部は、透明または半透明である。
【００２０】
本発明のその他の特徴および利点は、添付図面を参照して以下に行う詳細な説明によって、より明らかとなろう。
【発明を実施するための最良の形態】
【００２１】
以下、本発明の好ましい実施の形態について、図面を参照して具体的に説明する。
【００２２】
図１は、本発明に係る手芸用ニードルパンチセットの一例を示している。本実施形態のニードルパンチセットＡは、手芸用ニードルパンチャー１（以下、単にパンチャー１という）と、ニードルパンチ作業用の補助具２とを備えて構成されている。
【００２３】
パンチャー１は、複数本（本実施形態では３本）のニードル１０と、これらニードル１０を保持するするグリップ用部材１１と、アタッチメント部材１２と、取替用アタッチメント部材１３と、キャップ１４とを備えている。ニードル１０は、それぞれ先端寄り領域がグリップ用部材１１の先端部から突出している。ニードル１０としては、不織布の製造に用いられるニードルパンチ用のニードルをそのまま用いることが可能である。このニードル１０としては、図２に示すように、その先端寄りの領域に、繊維を絡ませる効果を高めるための「返し」と称される１または複数の小突起１０ａが設けられたものを用いることが好ましい。
【００２４】
グリップ用部材１１は、たとえば合成樹脂製であり、ニードル１０を保持するためのニードル保持体１１１と、使用者が把持するためのグリップ本体１１２とを備えている。グリップ本体１１２は、使い勝手を考慮して比較的に細長いペンタイプの筒状とされている。ニードル保持体１１１およびグリップ本体１１２は、それぞれネジ部１１１ａ，１１２ａを有しており、これらネジ部１１１ａ，１１２ａが螺合されることによってニードル保持体１１１およびグリップ本体１１２は一体的に接続されている。
【００２５】
ニードル保持体１１１には、複数の貫通孔１１１ｂが形成されている。これら貫通孔１１１ｂのそれぞれにニードル１０が挿通されることにより、各ニードル１０の径方向への位置決めが図られている。図３によく表れているように、ニードル１０の頭部１０ｂは、たとえば略Ｌ字状に屈曲した形状であり、この頭部１０ｂがニードル保持体１１１の基端部に形成された溝１１１ｃに嵌合している。これにより、ニードル１０がニードル保持体１１１の先端部１１１ｄから外部へ抜け外れることはなく、また、ニードル１０の回転が防止されている。
【００２６】
図２に表れているように、グリップ本体１１２の内部には、係止部１１２ｂが形成されている。上記ネジ部１１１ａ，１１２ａが螺合された状態においては、係止部１１２ｂに係止させられた小径円板状の当て板１５によってニードル保持体１１１の基端縁ないしニードル１０の頭部１０ｂがニードル保持体１１１の先端側に（図中左側）に押さえ付けられている。これにより、ニードル１０がその軸長方向に移動することは阻止されている。このような構成により、各ニードル１０は、グリップ用部材１１によって一定の姿勢で保持されている。
【００２７】
なお、グリップ本体１１２をニードル保持体１１１から外すと、ニードル１０をニードル保持体１１１からその基端側に抜き取ることが可能となっている。したがって、ニードル１０が破損した場合には、このニードル１０を他の新たなニードルと交換することが簡単かつ適切に行える。また、用途に応じてニードル１０の装着本数を変更したい場合においても、ニードル１０を簡単に取り外すことができる。
【００２８】
図１および図２に表れているように、アタッチメント部材１２は、全体として筒状をなしており、ニードル１０の外側に遊嵌された状態でニードル保持体１１１の先端部１１１ｄに取り付けられている。具体的には、ニードル保持体１１１の先端部１１１ｄは円筒状に開口しており、この先端部１１１ｄの内側にアタッチメント部材１２の円筒状の基端部１２ａが嵌挿されている。上記先端部１１１ｄの内面には突起１１１ｅが形成されており、上記基端部１２ａの外面には、突起１１１ｅが係合しうる略Ｌ字形状の溝１２ｂが形成されている。
【００２９】
アタッチメント部材１２をニードル保持体１１１に取り付ける際には、まず、図４に示すように、アタッチメント部材１２をニードル１０の軸長方向に沿ってニードル保持体１１１に近接させる。そして突起１１１ｅが溝１２ｂの端縁を通過した後に、アタッチメント部材１２をニードル保持体１１１に対してその軸心回りに回転させて、溝１２ｂの奥方に突起１１１ｅを位置させる。このとき、アタッチメント部材１２は、ニードル保持体１１１に対し、上記軸長方向への移動が規制されている。アタッチメント部材１２を取り外す場合には、取り付けの際と反対の操作を行う。このような構成によって、アタッチメント部材１２は、ニードル保持体１１１（グリップ用部材１１）に対して着脱可能に取り付けられている。
【００３０】
図１および図２に表れているように、アタッチメント部材１２は、ニードル１０の先端側に向かうにつれて拡開させられており、より具体的には、ニードル１０の軸長方向に対して直角である一方向において大きく拡がる形状とされている。アタッチメント部材１２の先端縁は、後述する補助具２の各型部２０の上端と当接しうる略面一状の当接部１２ｃとされている。
【００３１】
取替用アタッチメント部材１３は、図１に表れているように、筒状をなしており、後述するように、フェルト片を布地に絡ませる際に用いるものである。取替用アタッチメント部材１３の基端側には、アタッチメント部材１２の溝１２ｂと同様の溝（図示せず）が形成されている。この構成によって、取替用アタッチメント部材１３は、アタッチメント部材１２と同様の手法によって、グリップ用部材１１に対して着脱可能に取り付けられる。取替用アタッチメント部材１３の取り付け時におけるニードル１０の軸長方向の寸法は、アタッチメント部材１２の当該寸法よりも大とされている。
【００３２】
キャップ１４は、パンチャー１を使用しないときに各ニードル１０の先端部分を覆うことによりその保護を図るためのものであり、グリップ用部材１１の先端部に嵌脱自在である。キャップ１４は、たとえば透明な合成樹脂製である。
【００３３】
図１および図５に表れているように、補助具２は、複数の型部２０と、これら型部２０に対し連結部２２を介してつながる外枠部２１とを備えており、透明または半透明の合成樹脂によって一体形成されたものである。複数の型部２０は、それぞれ、所定の横断面形状を有する隔壁によって筒状とされている。各型部２０の内側空間は、ニードルパンチを行う際に繊維を充填させる部分である。型部２０の断面形状は、ニードルパンチを行うことによって形成されるべき所定の形状とされており、本実施形態においては、３つのハート形状および１つの木の葉形状を具備する構成である。
【００３４】
外枠部２１は、複数の型部２０の外側に位置しており、これら型部２０を包囲するように形成された隔壁によって筒状とされている。そして、外枠部２１と複数の型部２０との間には、中空部２３が設けられている。外枠部２１および複数の型部２０は、高さ方向の寸法が略同一とされており、かつ、これらの上端および下端のいずれもが略面一状に揃えられている。
【００３５】
次に、上記構成の手芸用ニードルパンチセットＡの使用方法および作用について説明する。
【００３６】
手芸用ニードルパンチセットＡを用いて行うニードルパンチ作業においては、ニードルパンチの対象となる布地等を載置した状態で支持するための支持部材を併用するのが好ましい。図６は、このような支持部材の一例である支持台３を示している。支持台３は、上述の従来技術について参照した特許文献１に開示されたものと同様の構成とされている。すなわち、この支持台３は、矩形の平板状の基材３０の上面に、多数本の繊維状部材３１が起立するように植毛されたブラシ構造を有している。複数本の繊維状部材３１の先端部は、略同一面状に並んでおり、これらの先端部によって、ニードルパンチの対象物を支持するための略平面状の支持面３２が形成されている。この支持台３としては、たとえば洋服ブラシなどとして利用されている既存のブラシと同一構造のものをそのまま用いることが可能である。
【００３７】
次に、手芸用ニードルパンチセットＡおよび支持台３を用いて布地にアップリケを施す方法について説明する。まず、図７に示すように、布地４０および補助具２を、支持台３の支持面３２上に順に重ねて載置する。次いで、補助具２の型部２０の内側に適量の繊維５０を充填する。
【００３８】
次いで、パンチャー１を把持して、型部２０の内側に充填された繊維５０、および布地４０に対してニードル１０を突き刺し、この突き刺し作業を繰り返す。突き刺し作業は、型部２０の内側の全域において万遍なく行う。突き刺し作業時には、パンチャー１のアタッチメント部材１２の先端に位置する当接部１２ｃが、型部２０の上端に当接することにより、支持台３に向かうパンチャー１の動作が規制される。この当接した状態において、ニードル１０の先端は支持台３の基材３０に到達しないようになっている。なお、補助具２が透明または半透明であることから、突き刺し作業の過程において型部２０内の繊維５０の状況を適確に把握することができる。
【００３９】
このような突き刺し作業を繰り返すことによって、繊維５０が布地４０の繊維に絡み合いながらフェルト化する。そして、布地４０には、型部２０の横断面形状に対応する形状のアップリケが施される。
【００４０】
このようにして、本実施形態の手芸用ニードルパンチセットＡを用いれば、切り出したフェルト片を使用することなく、布地４０に対して所定形状のアップリケを施すことができる。型部２０に充填する繊維としては、好みの色や種類のものを必要な分量だけ取り分けて使用することができる。したがって、本方法によれば、切り出したフェルト片を使用してアップリケを施す場合と比べて、材料の無駄をなくすことができる。
【００４１】
また、上述したように、パンチャー１に付属するアタッチメント部材１２は、ニードル１０の先端側に向かうほど拡開しているため、上記突き刺し作業においては、アタッチメント部材１２の当接部１２ｃが型部２０の上端に適確に当接する。
【００４２】
加えて、アタッチメント部材１２が先端部に向けて拡開された構成によって、型部２０の内側周縁での突き刺し作業においては、図７に表れているように、ニードル１０を型部２０の内面に略沿うようにして動かすことが可能となる。これにより、型部２０の内側の全域においてニードル１０を布地４０に対して直角方向に動かすことが可能であり、その結果、布地に施されるアップリケは、均一でムラのないものとなる。
【００４３】
本実施形態においては、補助具２は、型部２０と、型部２０の外側に位置する外枠部２１との間に中空部２３が設けられている。このため、パンチャー１による突き刺し作業において、ニードル１０の先端が誤って型部２０の外側にずれてしまった場合でも、ニードル１０が中空部２３を通過することになる。したがって、ニードル１０の先端が補助具２に不当に当接して損傷するといった不都合を防止することができる。なお、型部２０については、その上端が丸みを帯びた構成としてもよい。この場合、ニードル１０の先端は、型部２０の上端に当接しても型部２０の内側または中空部２３のいずれかにガイドされやすくなる。したがって、ニードル１０の損傷を防止するうえでより好ましい。
【００４４】
次に、手芸用ニードルパンチセットＡおよび支持台３を用いて繊維からフェルト状のモチーフを作成する方法について説明する。まず、図８に示すように、仕切部材４１および補助具２を、支持台３の支持面３２上に順に重ねて載置する。次いで、補助具２の型部２０の内側に適量の繊維５０を充填する。ここで、支持面３２と補助具２との間に仕切部材４１を介在させているのは、繊維５０が支持台３の繊維状部材３１に不当に絡み付くのを防止するためである。仕切部材４１としては、パンチャー１による突き刺し作業に支障がないように、ニードル１０の先端が容易に貫通可能で、かつ伸縮性のない材料が好ましく、たとえばコピー用紙が好適に用いられる。
【００４５】
次いで、パンチャー１を把持して、繊維５０、および仕切部材４１に対してニードル１０を突き刺し、この突き刺し作業を繰り返す。突き刺し作業は、型部２０の内側の全域において万遍なく行う。この突き刺し作業により、繊維５０が仕切部材４１に絡み合いながらフェルト化する。次いで、当該フェルト化物から仕切部材４１を取り除くことにより、型部２０の横断面形状に対応する形状のモチーフが得られる。なお、このモチーフを裏返したうえで、裏返した状態の補助具２の型部２０内に挿入し、新しい仕切部材４１を用いて上記の突き刺し作業を行えば、モチーフの形態が整えられて好適である。
【００４６】
次に、布地にフェルト片のアップリケを施す方法について説明する。ここで、フェルト片とは、シート状のフェルトから切り出したフェルト片の他に、上記方法によって得られたモチーフ、あるいは毛糸などを含み、繊維が凝集してある程度の定型性を有するものを意味する。ここでは、パンチャー１および支持台３を使用し、補助具２は使用しない。パンチャー１については、アタッチメント部材１２に代えて取替用アタッチメント部材１３を装着しておく。
【００４７】
まず、図９に示すように、布地４０にフェルト片５１を重ね合わせた状態で支持台３の支持面３２上に載置する。次いで、パンチャー１を把持して、フェルト片５１および布地４０に対してニードル１０を突き刺し、この突き刺し作業を繰り返す。この作業によって、フェルト片５１の繊維が布地４０の繊維に絡まり、フェルト片５１を布地４０に結合させることができる。このようにして布地４０にアップリケが施される。
【００４８】
ここで、取替用アタッチメント部材１３は、上述したように、アタッチメント部材１２に比べてニードル１０の軸長方向の寸法が大とされている。このため、ニードル１０のうちグリップ用部材１１の外部に突出する部分の寸法は、アタッチメント部材１２を装着した場合に比べて小さくなる。この構成によって、突き刺し作業においては、ニードル１０の先端が支持台３の基台３０に到達することが防止される。
【００４９】
このように、本実施形態のパンチャー１を用いれば、布地４０にフェルト片５１を絡ませて行うアップリケにも適切に用いることができる。また、パンチャー１については、グリップ用部材１１にいずれのアタッチメント部材１２，１３も取り付けない状態で使用することができる。この状態では、ニードル１０のうちグリップ用部材１１から突出する部分の寸法が大きくなるので、ぬいぐるみなどの立体物にアップリケを施すといったことが簡単に行える。
【００５０】
以上、本発明の実施形態を説明したが、本発明の技術的範囲は上記した実施形態に限定されるものではない。本発明に係る手芸用ニードルパンチセット、手芸用ニードルパンチャー、および手芸用補助具の各部の具体的な構成は、発明の思想から逸脱しない範囲内で種々な変更が可能である。
【図面の簡単な説明】
【００５１】
【図１】本発明に係る手芸用ニードルパンチセットの一例を示す斜視図である。
【図２】図１に示す手芸用ニードルパンチセットの構成部品である手芸用ニードルパンチャーの一例を示す断面図である。
【図３】図２のＩＩＩ−ＩＩＩ線に沿う断面図である。
【図４】図２に示す手芸用ニードルパンチャーの構成部品であるアタッチメント部材の取り付け構造を説明する図である。
【図５】図１に示す手芸用ニードルパンチセットの構成部品である手芸用補助具の一例を示し、図１のＶ−Ｖ線に沿う断面図である。
【図６】図１に示す手芸用ニードルパンチセットを使用する際に用いられる支持部材の一例を示す斜視図である。
【図７】図１に示す手芸用ニードルパンチセットの使用状態の一例を示す断面図である。
【図８】図１に示す手芸用ニードルパンチセットの使用状態の他の例を示す断面図である。
【図９】図２に示す手芸用ニードルパンチャーの使用状態の一例を示す断面図である。
【符号の説明】
【００５２】
Ａ        手芸用ニードルパンチセット
１        パンチャー（手芸用ニードルパンチャー）
２        補助具（手芸用補助具）
３        支持台
４０      布地（対象物）
５０      繊維（対象物）
１０      ニードル
１１      グリップ用部材
１２      アタッチメント部材
１２ｃ    当接部
１３      取替用アタッチメント部材
２０      型部
２１      外枠部
２３      中空部
【図１】
0005017049.tif 000002
【図２】
0005017049.tif 000003
【図３】
0005017049.tif 000004
【図４】
0005017049.tif 000005
【図５】
0005017049.tif 000006
【図６】
0005017049.tif 000007
【図７】
0005017049.tif 000008
【図８】
0005017049.tif 000009
【図９】
0005017049.tif 000010